(57)【特許請求の範囲】
【請求項１】
投棄された書類の重量を検出し、その検出結果に基づいて、その重量に関する情報を通信網に送出する不要書類回収ボックスを備えた不要書類回収システムにおいて、
前記ボックスは、投棄された書類の重量を検出する重量センサと、
前記重量センサが出力する信号に基づいて、前記ボックスに投棄された書類の重量が、予め設定された警告閾値に到達したか否かを判定すると共に、その警告閾値に到達したものと判定された場合に、その旨の回収側への通知を通信網に要求する警告判定通知手段を備え、
前記ボックスの外扉が開けられたことを検出するスイッチと、そのスイッチが出力する信号に基づいて、外扉が開扉されたか否かを判定すると共に、外扉が開扉されたと判定された場合に、その旨の回収側への通知を通信網に要求する扉判定通知手段とを備えたことを特徴とする不要書類回収システム。
【請求項２】
前記ボックスに設けられた投下口のカバーは、回転軸と、この回転軸が含まれる鉛直線より、投入口の傾斜面の傾斜方向寄りに延在し、所定の傾斜角を備えた傾斜面にカバーの先端の軌跡が接することがないように、その静止時（重力以外の外力が加えられていない時）にカバー先端と前記傾斜面間に隙間が形成されると共に、その基端が前記回転軸から離間されている垂直辺と、前記基端から前記傾斜面に略平行に、且つ、上方に折れ曲る折辺と、この折辺に対して連続し、且つ、垂直に立ち上る立上辺からなることを特徴とする請求項１に記載の不要書類回収システム。
【請求項３】
前記ボックスに設けられ、且つ、投棄された書類を回収する回収袋を吊下させる略Ｌ字状のフック部は、フックの一辺を回転自在に支持すると共に、筐体に着脱自在に取り付けられるカバー部と、このカバー部に収容され、且つ、前記フックの一辺を常時付勢して、その他辺を鉛直方向に維持させると共に、その付勢に抗するように他辺の位置を水平方向に切換える切換装置を備えていることを特徴とする請求項２に記載の不要書類回収システム。
【発明の詳細な説明】
【技術分野】
【０００１】
本発明は、重量センサを備えた不要書類回収ボックスを用いて不要となった機密書類を回収する不要書類回収システムに関し、かかるシステムは、不要書類を溶解処理すると共にリサイクルを行うようになっている。
【背景技術】
【０００２】
本願の出願人は、不要書類をシュレッダーで切断することなく回収し、再生紙として利用できるようにするための不要書類回収ボックスについて特許を取得している（特許文献１）。
この不要書類回収ボックスによって、機密書類でも切断せずに回収することができ、良質の再生紙原料として有効に利用することができる等の効果を得ている。
次の課題は、不要書類の回収のタイミング的な効率等、回収ボックスを通信ネットワークとどのように結びつけるべきかであった。
【０００３】
その先例の１つとして、特許文献２では、機密書類回収箱に入れた機密書類の回収からそのリサイクルに至るシステムが、通信ネットワークを介して構築されている。
【０００４】
しかし、このシステムでは、「回収要求部２０１は、クライアントが機密書類回収箱３の容量がいっぱいになってきたと判断したときに、電子メールにより、あるいは、ＷＥＢページ上から機密書類処理管理装置６に対してする機密書類回収箱３の回収要求の入力を受け付け」（同文献段落００５４）、これを回収側に送信するとされている。よって、このシステムでは、クライアント側が機密書類回収箱３の中身を目視することが必要であることから、そのシステムの管理、運用に関し、クライアント側の関与が必要であった。
【０００５】
一方、特許文献３には、通信ネットワークに接続される宅配ボックスが開示され、そのボックスには集荷用の荷物の重量を検出する重量センサが配置されている。
【０００６】
このような重量センサを活用することで、クライアントは機密書類回収箱３の中身を目視して管理する必要はなくなるが、しかし、この文献では、その次の手順として、集荷業者の指定処理という手続が必要であった（同文献段落００８１）。
【０００７】
【特許文献１】特許第３０５９３９５号
【特許文献２】特開２００７−４２０７６号公報
【特許文献３】特開２００２−８５２４７号公報
【発明の開示】
【発明が解決しようとする課題】
【０００８】
そこで、本願発明は、不要書類の回収ボックスと通信ネットワークを有意義に結びつけて、不要書類の回収のタイミング的な効率を向上させるとともに、これに合わせて回収ボックスの改良を図ったものである。
【課題を解決するための手段】
【０００９】
本願発明は、投棄された書類の重量を検出し、その検出結果に基づいて、その重量に関する情報を通信網に送出する不要書類回収ボックスを備えた不要書類回収システムにおいて、前記ボックスは、投棄された書類の重量を検出する重量センサと、前記重量センサが出力する信号に基づいて、前記ボックスに投棄された書類の重量が、予め設定された注意閾値に到達する時間を算出すると共に、その時間の回収側への通知を通信網に要求する満杯通知手段と、前記重量センサが出力する信号に基づいて、前記ボックスに投棄された書類の重量が、予め設定された警告閾値に到達したか否かを判定すると共に、その警告閾値に到達したものと判定された場合に、その旨の回収側への通知を通信網に要求する警告判定通知手段と、前記重量センサが出力する信号に基づいて、一定時間の間隔毎に、前記ボックスに投棄された書類の重量の増加分を算出して、その増加分が予め設定された勾配閾値より大きいものと判定された場合に、その旨の回収側への通知を通信網に要求する急勾配判定通知手段とを備えたことを特徴とする不要書類回収システムとした。
【００１０】
請求項１の発明は、上記発明の投棄された書類の重量を検出し、その検出結果に基づいて、その重量に関する情報を通信網に送出する不要書類回収ボックスを備え、前記ボックスは、投棄された書類の重量を検出する重量センサと、前記重量センサが出力する信号に基づいて、前記ボックスに投棄された書類の重量が、予め設定された警告閾値に到達したか否かを判定すると共に、その警告閾値に到達したものと判定された場合に、その旨の回収側への通知を通信網に要求する警告判定通知手段を備える不要書類回収システムにおいて、前記ボックスの外扉が開けられたことを検出するスイッチと、そのスイッチが出力する信号に基づいて、外扉が開扉されたか否かを判定すると共に、外扉が開扉されたと判定された場合に、その旨の回収側への通知を通信網に要求する扉判定通知手段とを備えたことを特徴とする不要書類回収システムとした。
【００１１】
上記発明において、前記ボックスに設けられた投下口のカバーは、回転軸と、この回転軸が含まれる鉛直線より、投入口の傾斜面の傾斜方向寄りに延在し、所定の傾斜角を備えた傾斜面にカバーの先端の軌跡が接することがないように、その静止時（重力以外の外力が加えられていない時）にカバー先端と前記傾斜面間に隙間が形成されると共に、その基端が前記回転軸から離間されている垂直辺と、前記基端から前記傾斜面に略平行に、且つ、上方に折れ曲る折辺と、この折辺に対して連続し、且つ、垂直に立ち上る立上辺からなることを特徴とする不要書類回収システムとした（請求項２の発明）。
【００１２】
上記発明において、前記ボックスに設けられ、且つ、投棄された書類を回収する回収袋を吊下させる略Ｌ字状のフック部は、フックの一辺を回転自在に支持すると共に、筐体に着脱自在に取り付けられるカバー部と、このカバー部に収容され、且つ、前記フックの一辺を常時付勢して、その他辺を鉛直方向に維持させると共に、その付勢に抗するように他辺の位置を水平方向に切換える切換装置を備えていることを特徴とする不要書類回収システムとした（請求項３の発明）。
【発明の効果】
【００１３】
本願発明によって、回収袋が投棄書類により満杯となる時間が、満杯通知手段を介してその回収袋を回収する回収側に通知されるので、回収側は、各事業所等に配置されているボックスの地理的条件等を勘案して、効率良く回収袋を回収できる。
また、回収袋の重量が警告閾値を超えた旨が、警告判定通知手段を介してその回収袋を回収する回収側に通知されるので、回収側は、各事業所等に配置されているボックスの内、どのボックスの回収を最優先にすべきか否かを判断できて、効率良く回収袋を回収できる。
さらに、回収袋の重量が勾配閾値を超えた旨が、急勾配判定通知手段を介してその回収袋を回収する回収側に通知されるので、回収側は、各事業所等に配置されているボックスの突発的な回収の必要性を考慮することができ、効率良く回収袋を回収できる。
よって以上の満杯通知手段、警告判定通知手段及び急勾配判定通知手段により、ボックスと通信ネットワークが有意義に結びつけられ、不要書類の回収のタイミング的な効率を向上させることができる。
また、請求項１の発明によれば、前記警告判定通知手段による効果に加え、扉判定通知手段により、回収袋内の機密書類の保管状態を把握することができる。
また、請求項２の発明によれば、投下口のカバーの形状により、不要書類を投棄し易くなっていると共に、請求項３の発明によれば、フック部により、回収袋の取付、取り外しが行い易くなっている。
【図面の簡単な説明】
【００１４】
【図１】図１は、不要書類回収ボックスの斜視図及びこれを用いた不要書類回収システムの概念図、
【図２】図２は、ボックスの縦中央断面図、
【図３】図３（Ａ）及び（Ｂ）は、投入口用カバーの斜視図及び側面図、
【図４】図４（Ａ）乃至（Ｃ）は、フック部の側面図、裏面図及び分解斜視図、
【図５】図５（Ａ）及び（Ｂ）は、取付板（センサプレート）の底面図及び要部断面図、
【図６】図６は、回路ブロック図、
【図７】図７は、詳細な回路ブロック図、
【図８】図８は、制御部のプログラム構成図、
【図９】図９は、制御部のメインルーチンのフローチャート図、
【図１０】図１０は、制御部のサブルーチン（重量扉判定タスク）のフローチャート図、
【図１１】図１１は、図１０の同処理中の満杯検出処理の説明図、
【図１２】図１２は、図１０の同処理中の勾配検出処理の説明図、
【図１３】図１３は、図１０の同処理中の勾配検出処理の説明図、
【図１４】重量扉判定タスクのフローチャート図、
【図１５】重量扉判定タスクのフローチャート図である。
【発明を実施するための最良の形態】
【００１５】
本発明に係る不要書類回収システムは、図１及び図２に示したように重量センサ６を備えた不要書類回収ボックス（以下、単にボックスと称する）１を事業所等に配置し、そのボックスが前記重量センサ６の信号に基づいて、投棄された書類の重量に関する情報等を通信網Ｎに送出し、その通信網Ｎを介して回収サイドの携帯端末Ｍ等に通知することで、機密書類等の回収の効率化を図ると共に、その書類を溶解処理してリサイクルを行うシステムに関する。
以下に、本発明に係る不要書類回収システム（以下、単にシステムと称する）の実施形態を図面に基づき説明する。
なお、以下において、同一名称又は同一符号は、それぞれ同一の構成を示すものとし、重複した説明は避けることとする。
【００１６】
前記ボックス１は、図１及び図２に示したように、本体２と、この本体２の上面２０をカバーするトップカバー３からなる。
前記本体２は、上下面２０、２１、左側面２２、正面２３及右側面２４からなる筐体と、その開口面２５を開閉するための外扉２６及び内扉２７と、回収袋４を取付けるために左側面２２及び右側面２４のそれぞれの内側の２カ所に設けられたフック部５と、前記左側面２２の内側に設けられた予備の回収袋４を収納する収納部２８と、投棄された書類が入れられた回収袋４の重量を検出する重量センサ（ロードセル）６及びこれを取付ける取付板２９を備えている。
なお、前記開口面２５を構成する枠部に、扉検出スイッチ７と、回収袋リセットスイッチ（風袋リセットスイッチ、零点リセットスイッチとも称する）８が取り付けられている。
【００１７】
前記予備袋収納部２８は、折りたたまれた回収袋４を収納するもので、図２に図示されているように、上支持板２８ａと下支持板２８ｂ及び側面２２間の空間に折りたたまれた袋を収納するようになっている。
【００１８】
前記トップカバー３は、本体左右側面２２，２４の上方の左右側面が略台形状の５面の立方体であって、本体２の上面２０に配置され、且つ、前記重量センサ６の信号に基づいて、投棄された書類の重量に関する情報等を生成する制御装置９をカバーすると共に、書類投入口３０と、前記制御装置９により生成される各種表示信号に基づき、ボックス１の動作状態を表示する表示部３１を備えている。
【００１９】
前記トップカバー３の書類投入口３０は、図１及び図２に示したようにトップカバー３の斜面３２に形成されており、筐体の内部に向かって下方に傾斜する傾斜面３３と、前記投入口３０を開閉するカバー３４が取り付けられている。
【００２０】
前記表示部３１は、投棄された書類の重量を表示する７セグＬＥＤ、投棄書類の重量が警告閾値（後述）を超えた場合に点灯する閾値ＬＥＤのほか、通信網への送信可能状態を報知する圏外表示ＬＥＤ、その電界強度表示ＬＥＤを備えている。
【００２１】
前記傾斜面３３の先端は、前記投入口３０から投入される書類が、前記回収袋４の略中心の鉛直方向に落下するように、前記上面２０の中央まで延出されている。これにより、前記重量センサ６により検出される前記回収袋４の重量の誤差を少なくしている。
【００２２】
該カバー３４は、図３に示したように、そのカバー先端３４０が傾斜面３３に接することがなく、接触音の発生を防ぐことができるものであり、また慣性モーメントを抑えるように構成され、書類の投棄を容易にしている。
即ち、前記カバー３４は、前記投入口３０の左右側面にて軸支される回転軸３４１と、この回転軸３４１が含まれる鉛直線Ｖより、傾斜面３３の傾斜方向寄りに延在し、所定の傾斜角θを備えた傾斜面３３にカバー３４の先端３４０の軌跡が接することがないように、その静止時（重力以外の外力が加えられていない状態）にカバー先端３４０と前記傾斜面３３間に隙間Ｇが形成されると共に、その基端３４２が前記回転軸３４１から離間されている垂直辺３４３と、前記基端３４２から前記傾斜面３３に略平行に、且つ、上方に折れ曲る折辺３４４と、この折辺３４４に連続し、且つ、垂直に立ち上る立上辺３４５からなる。
【００２３】
かかる構成により、カバー３４の慣性モーメントが、単純に前記回転軸３４１から幅Ｗのカバーを鉛直方向に沿って取り付けた場合に比べて小さくなり、書類を投入し易くなっている。また、書類の投入毎にその先端３４０が傾斜面３３に当って音が発生することを避けることができる。
【００２４】
なお、垂直辺の先端３４０は、傾斜面３３の傾斜する方向に折り曲げられていて、前記垂直辺３４３が鉛直方向に静止されるようになっている。
【００２５】
前記フック部５は、図２に示したように、回収袋４の四端に形成されている吊部４０を係止させるためのもので、より詳細には図４（Ａ）〜（Ｃ）に示したように、略Ｌ字状のフック５０と、このフック５０の一辺５１を回転自在に支持すると共に、前記筐体に着脱自在に取り付けられるカバー部５２と、このカバー部５２に収容され、且つ、前記フック５０の一辺５１を常時付勢して、その他辺５３を鉛直方向に維持させると共に、その付勢に抗して他辺５３の位置を水平方向に切り換える切換装置（以下、単に装置と称する）５４を備えている。
【００２６】
前記フック５０の一辺５１の先端には、三日月状の切欠５１ａが形成され、断面が半月状の先端の外周にはネジが切られている。
【００２７】
前記カバー部５２は、前記装置５４を収容するために、長方形の薄板の三辺を略直角に折曲げて、凹部５２０を設けると共に、これを前記筐体に着脱自在に取り付けるためのネジ穴５２１と、その対向する折曲辺に係止突起５２２が形成されている。
【００２８】
前記装置５４は、前記フック５０の一辺５１の回転を円滑に行わせるワッシャ類５４０と、これらのワッシャ類５４０を収容すると共に、フック５０の回転角を制御するブラケット５４１と、このブラケット５４１に挿通される前記フック５０の一辺５１の先端を固定すると共に、その一辺５１の回転に同調して回転し、その回転がブラケット５４１により制御されるボード５４２と、前記ボード５４２を介してフック５０の一辺５１を常時付勢するバネ５４３を備えている。
【００２９】
前記ブラケット５４１は、カバー部５２に固定可能に、且つ、ワッシャ類５４０を収容できるようにその側面形状が略帽子状に形成されており、そのツバ５４１ａがカバー部５２に対する固定部となり、帽子本体５４１ｂに、フック５０の一辺５１を挿通させるための孔５４１ｃと、ボード５４２の回転角を９０度に制御する制御片５４１ｄ、５４１ｅが形成されている。
【００３０】
前記ボード５４２は、略半月状の薄板から形成されており、その中心にフックの一辺を固定するために、前記フック５０の一辺５１の断面形状と略同一の略半月状の孔５４２ａと、前記バネ５４３の一端を取り付ける取付部５４２ｂを備えている。
なお、前記バネ５４３の他端は、前記カバー部５２の折曲辺に取り付けられている。
【００３１】
前記ボード５４２の略半月状の孔５４２ａに挿通されたフック５０の一辺５１先端は、ナットによりボード５４２側に締結されている。
【００３２】
このように構成されたボード５４２は、図４（Ｂ）のように、その基端５４２ｃの一端５４２ｄが前記ブラケット５４１の制御片５４１ｅに当接すると共に、この状態がバネ５４３の付勢力により維持され、フック５０の他辺５３を鉛直方向に維持させる。
また、バネ５４３の付勢力に抗してフック他辺５３を水平方向に回転させた場合に、前記ボード基端の他端（取付部５４２ｂ）が、前記ブラケット５４１の制御片５４１ｄに当接することで、その水平の姿勢に変換、且つ維持させる。
【００３３】
このフック部５を、本体２の左右側面２２、２４に各２個を配置し、各フック他辺５３が開口面２５側に水平に倒れるように取り付ける。書類等に満たされた回収袋を外すときは、回収袋４ごと、手前に引き寄せると、フック他辺５３が開口面２５側に９０度まで回転して、水平に倒れるので、重量がある回収袋４を容易に引き出すことができる。
【００３４】
前記ロードセル６の設置は、その性能を十分引き出すため、機械的に高剛性の台が必要であって、袋の重量が大きい（概ね満杯状態で約６０ｋｇ）ので、厚板で取付板２９を構成することもできるが、図５のように上板２９ａを薄板とし下板２９ｂを略Ｈ字形とすることで、重量対応となっている。
【００３５】
前記扉検出スイッチ７は、前記外扉２６が開かれた場合に、オンするもので、主に投棄された書類の機密状態を監視する機能を発揮するものである。
【００３６】
前記回収袋リセットスイッチ８は、回収サイドで押下されることにより、前記制御装置９の重量に関するメモリをクリアすると共に、前記表示部３１の７セグＬＥＤを０グラムにリセットし、また閾値ＬＥＤを消灯するものである。
このスイッチ８と同様な機能を発揮させるものして、前記フック５０の回転に同調して回転するボード５４２を機械的に検出するスイッチ（以下、フックＳＷともいう）としてマイクロスイッチを用いてもよい。
例えば、前記回収袋４の吊下部４０がフック５０から外される際に、その垂直位置から水平位置に移ると共に、ボード５４２が所定角度、例えば４５度まで回転した場合に、ボード５４２の一端がマイクロスイッチのアクチュエータ部をオンするように、マイクロスイッチを前記カバー部５２に取り付けてもよい。
かかる構成によれば、回収袋リセットスイッチ８の押下が不要となり、さらに後述のように、機密書類の管理をより厳格に行うことができる。
【００３７】
前記制御装置９は、図６に示したように、ＣＰＵ（Ｃｅｎｔｒａｌ  Ｐｒｏｃｅｓｓｉｎｇ  Ｕｎｉｔ）９０と、その入力側に接続される重量センサ６、風袋リセットスイッチ８、扉検出スイッチ７、電界強度検出器９１及びバッテリ９２が接続され、その出力側に接続されるＲＡＭ９３、ＥＥＰ−ＲＯＭ９４、前記ＲＡＭの内容を保存するための不揮発性メモリとしてのＦＯＲＭ９５、通信インターフェース９６（ＲＳ２３２Ｃ）、ＲＳ２３２Ｃ保守用９７、前記表示部３１用の出力ポート９８及びネットワークＩ／Ｆ９９を備えている。
【００３８】
具体的には、図７のように重量センサ６からの検出信号は、センサアンプ（増幅部）６０により増幅され、Ａ／Ｄ（Ａ／Ｄ変換部）６１により、アナログ値がデジタル値に変換され、ＣＰＵ９０に入力される。
前記リセットスイッチ８からの検出信号は、レベル整合部８０を介して、ＣＰＵ９０に入力される。
前記扉検出スイッチ７からの検出信号は、レベル整合部７０を介して、ＣＰＵ９０に入力される。
【００３９】
前記ＣＰＵ９０は、前記重量センサ６からの信号を処理し、投棄された書類の重量に関する情報を生成し、ドライバ６２、シリアルポート６３を介して、通信インターフェース９６に出力する。この通信インターフェース９６は、通信網Ｎとして株式会社エヌ・ティ・ティ・ドコモが運用するＦＯＭＡ網に対応するもので、上記情報を載せた信号をＦＯＭＡ網に送出する。
【００４０】
図７のモード切換ＳＷ９１２は、ＣＰＵ９０の動作モードを、通常の動作モードとプログラム書き込みモードの間で遷移させるスイッチであり、ＥｔｈｅｒＮＥＴ９１３は、通信網Ｎの将来の拡張に備えるもので、ＥｔｈｅｒＮＥＴに接続するためのインターフェースであり、設定用シリアル９１４は、メールの送信先等の設定、後述の満杯閾値、警告閾値等の設定を行う際に、設定用端末を接続するもので、給電部９１５は前記通信インターフェース９６に電力を供給するもので、前記ＣＰＵ９０にて制御可能となっている。
【００４１】
また、商用電源ＡＣ１００Ｖは、ＡＣ１００Ｖ部９１６で受電され、ヒューズ９１７を経由してＡＣＳＷ９１８に給電され、商用電源ＡＣ１００Ｖが直流に変換且つ降圧され、電圧検出９１９を介して前記ＣＰＵ９０等に電力が供給される。なお、電圧検出９１９は、ＡＣＳＷ９１８からの出力をモニタし、停電／復電の検知を行う。
【００４２】
以上のように構成された回路ブロックの動作例を図８〜図１２に基づいて説明する。
前記ボックス１に電源が投入されと、ＣＰＵ９０がプログラムを読込んで、その命令を順次実行することとなり、まずメモリ等の初期化（ステップ１）の後、ステップ２〜ステップ１７において、１００ｍｓ単位で、順次、扉状態の読込、零点リセットの読込、ＡＣ電源が給電されているか否かの判定と、その判定に基づく処理（ステップ５〜ステップ７）、各種判定処理（ステップ８）、扉状態の変更があるか否かの判定と、その判定に基づく処理（ステップ９〜ステップ１０）、零点リセットスイッチの押下が検出されたか否かの判定と、その判定に基づく処理（ステップ１１〜ステップ１２）、ＡＣ電源が給電から停止になっているか否かの判定と、その判定に基づく処理（ステップ１３〜ステップ１５）、ＡＣ電源が停止から給電になっているか否かの判定と、その判定に基づく処理（ステップ１６〜ステップ１７）の各処理を行う。
【００４３】
次に、前記各種判定処理（ステップ８）の内の重量及び扉判定タスクの処理手順を、図１０〜図１２に基づいて説明する。
このタスクでは、ＡＤ入力ドライバから入力される現在の重量情報に基づき、通信網Ｎへの満杯通知の要否を判定する満杯通知処理、重量が急激に増加したか否かを判断して、その通信網Ｎへの通知の要否を判定する急勾配判定通知処理及び重量が警告を要する警告閾値に達したか否かを判断して、その通信網Ｎへの通知の要否を判定する警告判定通知処理を行う。
【００４４】
即ち、満杯通知処理は、満杯通知手段９０ａにより実行されるもので、予めクライアント側が設定した注意閾値（例えば投棄書類の重量を５０ｋｇに設定）に到達する時間を算出すると共に、満杯通知手段９０ａは、通信網Ｎに対して回収側への通知を要求する。回収側はその通知を受けて、回収作業の時間的な効率化を図ることができる。
また、急勾配判定通知処理は、急勾配判定通知手段９０ｃにより実行されるもので、一定時間の間隔毎に、その間の重量の差分（増加分）を算出して、その差分が予めクライアント側が設定した勾配閾値（例えば差分の投棄書類の重量を２０ｋｇに設定）より大きい場合には、急勾配と判定すると共に、急勾配判定通知手段９０ｃは、通信網Ｎに回収側への通知を要求する。その通知を受けた回収側は、回収作業の優先度等の判断材料とする等の回収の効率化を図ることができる。
さらに、警告判定通知処理は、警告判定通知手段９０ｂにより実行されるもので、予めクライアント側が設定した警告閾値（例えば投棄書類の重量を６０ｋｇに設定）に到達したか否かを判断すると共に、警告判定通知手段９０ｂはその判断に基づき、通信網Ｎに回収側への通知を要求する。通知を受けた回収側は、回収作業の最優先とすべき前記ボックス１の事業者等を特定できて、回収の効率化を図ることができる。
具体的には、満杯判定時、急勾配判定時又は警告判定時に、それぞれ通信インターフェース（ＰＨ２モジュール）９６に対してメール通知要求の信号（メッセージ）を送信する。
また、扉判定通知手段が、扉の開閉による現在の扉の状態を判断して、機密保持を図っている。
【００４５】
上記タスクは、ＡＤ入力ドライバから入力される現在の重量情報として、重量の一秒間の平均値（以下、平均値）の通知を受信したときに開始され、まず前記平均値に対する重量データの安定化を図る処理を行う（ステップ２０）。
これは、前記ボックス１の投入口からまとめて多量の書類が投棄された場合に、その落下の衝撃により落下直後の重量が大きく変動する可能性があることから、安定化した重量の値を使用するため、各処理の前に行うものである。
具体的には、３秒間の平均値の差分が±０．２５ｋｇの範囲内であれば、直近で取得した平均値を後述の各処理に用いる。それ以外の場合には、直前に使用していた平均値を使用する。
【００４６】
この安定化処理に引き続き、データベース（メモリ等）から、満杯通知処理に用いる注意閾値、急勾配判定通知処理に用いる勾配閾値、警告判定通知処理に用いる警告閾値を読出し、一時的に保存する（ステップ２２）し、現在の時刻を取得する（ステップ２４）。ここでは、基準時間（前記リセットスイッチ８がオンされた時）との差を算出して、次の満杯通知処理としての満杯検出処理（ステップ２６〜ステップ３０）に備える。
【００４７】
この満杯検出処理では、投棄量が注意閾値に到達する時点（１００％）の前段階に、その１００％までの残り時間を算出するもので、その前段階として例えば注意閾値の８０％の到達時に、残り時間を算出する。
満杯の算出は、５０％、６０％、７０％及び８０％の到達時間から、最小二乗法により算出する（図１１参照）。
例えば、８０％の投棄量の時点で、投棄量が注意閾値に到達する時間が２４時間であると算出されれば、前記基準時間と現在時間の時間差から、２４時間に達するまでの残り時間を算出することができる。
さらに、例えば、８０％の投棄量の時点で、投棄量が注意閾値に到達する時間数が２４時間であると算出されれば、その値を基準時間に加算することで、投棄量が注意閾値に到達する時刻が算出され、これを報知するようにしてもよい。
即ち、ステップ２８において、前記平均値が注意閾値の８０％に到達したか否かを判定し（ステップ１８）、前記平均値が注意閾値の８０％に到達したと判定（Ｙｅｓ）とされた場合には、ステップ３０に進み、注意閾値に到達するまでの残り時間を報知する注意メール通知の要求が送信され、警告判定通知処理としての警告閾値検出処理（ステップ３２）に進むが、前記平均値が注意閾値の８０％に到達していない判定（Ｎｏ）とされた場合には、そのままステップ３２に進む。
【００４８】
この警告閾値検出処理では、前記平均値が警告閾値を到達したか否かを判定し（ステップ３４）、前記平均値が警告閾値に到達したと判定（Ｙｅｓ）とされた場合には、ステップ３６に進み、警告メール通知の要求が送信され、次のステップ３８に進むが、前記平均値が警告閾値に到達していない判定（Ｎｏ）とされた場合には、そのままステップ３８に進む。
【００４９】
ステップ３８〜ステップ４６までの急勾配判定通知処理では、一定時間の間隔（検出間隔）毎に、その間の重量の差分を算出して、その差分が予めクライアント側が設定した勾配閾値（例えば差分の投棄書類の重量を２０ｋｇに設定）より大きい場合には、急勾配と判定して、回収側に報知するもので、検出間隔（Ｔｄ）は、例えば１時間、４時間又は８時間に設定することができる。
検出間隔が１時間の場合は測定間隔（Ｔｓ）は１分、４時間の場合は測定間隔（Ｔｓ）は４分、８時間の場合は測定間隔（Ｔｓ）は８分とする（以上図１２参照）。
しかして、ステップ３８では、測定間隔、即ち、勾配計測が所定の間隔であるか否かを判定する。例えば検出間隔が１時間の場合は、測定間隔は１分であるので、前記平均値が１分を経過したものであるか否かを判定し、経過したものと判定（Ｙｅｓ）とされれば、各重量値（図１０ＣのＺ１〜Ｚ６０）を保存し（ステップ４０）、検出間隔（Ｔｄ）が経過したか否か、即ち、各測定間隔（Ｔｓ）毎に重量値（図１２のＺ１〜Ｚ６０）を保存したか否かを判定し、経過していると判定された場合には、勾配検出処理に進む（ステップ４４）が、経過していないと判定された場合には、そのままこのタスクの処理が終了され、次の平均値の通知の受信を待つこととなる。
【００５０】
前記勾配検出処理では、各重量値の差分、例えばＺ２−Ｚ１、Ｚ３−Ｚ２・・・を加算し、指定された検出間隔の最初の検出時間（ＴＯ）の重量（Ｚ１）と現在の重量（Ｚ６０）の増加分（Ｚ）を算出する（図１２参照）。そしてこの処理を基に、その増加分（Ｚ）が勾配閾値を超えているか否かを判定し（ステップ４６）、急勾配であると判定（Ｙｅｓ）した場合には、急勾配のメール通知の要求が送信され（ステップ３４）、このタスクの処理が終了されるが、急勾配ではないと判定（Ｎｏ）した場合には、そのままこのタスクの処理が終了され、次の平均値の通知の受信により、上記ステップ２０〜ステップ４８の各処理が行われる。
【００５１】
一方、前記ステップ３８において、測定間隔ではないと判定（Ｎｏ）とされれば、そのままこのタスクの処理が終了され、次の平均値の通知の受信により、上記ステップ２０〜ステップ４８の各処理が行われる。
【００５２】
なお、図１３のように、前記勾配検出処理では、一定期間の間に一定量の急激な増加があった場合に、その増加分が勾配閾値を超えているか否かを判定するようにしてもよい。即ち、勾配監視対象を投棄量（例えば前記警告閾値と同一の６０ｋｇ）の６０％に設定し、それ以前の５０％の時点で急勾配が発生していても、急勾配であると判定しないように処理してもよい。
【００５３】
次に図１４に基づいて、前記扉判定通知手段により実行される、扉の開閉判定タスクの処理について説明する。
この処理が開始されると、まず、扉検出スイッチ７がオンされているか否かが判定され（ステップ１００）、オンであり「開」であると判定（Ｙｅｓ）と判定されれば、扉開メール通知の要求が送信され（ステップ１０２）、この処理が終了されるが、オフであり「開」ではないと判定（Ｎｏ）と判定されれば、扉閉メール通知の要求が送信され（ステップ１０４）、この処理が終了される。
【００５４】
次に図１５に基づき、扉の開閉判定タスクの処理について、別例を説明する。
この処理が開始されると、まず、扉検出スイッチ７がオンされているか否かが判定され（ステップ２００）、オンであり「開」であると判定（Ｙｅｓ）と判定されれば、ステップ２０２に進み、フックＳＷがオンか否かが判定される。
そして、そのスイッチがオンであると判定される（Ｙｅｓ）と、フックオンメール通知の要求が送信され（ステップ２０４）、この処理が終了されるが、オフであると判定（Ｎｏ）と判定されれば、そのままステップ２０６に進み、扉閉メール通知の要求が送信され、この処理が終了される。
図１５に示した別例の扉の開閉判定タスクの処理によれば、扉の開閉状態の監視だけではなく、フック部５０のフック一辺５１の動作状態の監視も可能になり、機密書類の保管管理に資することとなる。
【００５５】
上記構成のボックス１の効果を纏めると次の通りである。
（１）  前記満杯通知手段９０ａにより回収側は、投棄書類が満杯状態に到達する時刻を予測できるので、回収作業の優先順位の組立等、回収の時間的な効率化を図ることができる。
（２）  前記急勾配判定通知手段９０ｃにより回収側は、各事業所等に配置されている前記ボックス１の投棄状態をリアルに認識できるので、前記満杯通知手段９０ａでは対処できない突発的な事態に対して、迅速に対処できる等、回収作業の優先度等の判断材料とする等の回収の効率化を図ることができる。
（３）  前記警告判定通知手段９０ｂにより回収側は、回収作業の最優先とすべき前記ボックス１の事業者等を特定できて、回収の効率化を図ることができる。
（４）  扉判定通知手段により、投棄された書類の機密保持を図ることができる。
（５）  扉判定通知手段として、前記扉検出スイッチ７に加えてフックＳＷを加えることで扉の開閉状態の監視だけではなく、フック部５０のフック一辺５１の動作状態の監視も可能になり、機密書類の保管管理に資することとなる。
（６）  前記カバー３４により、その慣性モーメントが、単純に前記回転軸３４１から幅Ｗのカバーを鉛直方向に沿って取り付けた場合に比べて小さくなり、書類を投入し易くなっている。また、書類の投入毎にその先端３４０が傾斜面３３に当って音が発生することを避けることができる。
（７）  前記フック部５により投棄書類等に満たされた回収袋を外すときは、回収袋４ごと、手前に引き寄せることができ、重量がある回収袋４を容易に引き出すことができる。
（８）  前記書類投入口３０の傾斜面３３の先端は、前記投入口３０から投入される書類が、前記回収袋４の略中心の鉛直方向に落下するように、前記上面２０の中央まで延出されているので、前記重量センサ６により検出される前記回収袋４の重量の誤差が少くなる。
【符号の説明】
【００５６】
１  ボックス
２  本体
２０  上面                              ２１  下面
２２  左側面                            ２３  正面
２４  右側面                            ２５  開口面
２６  外扉                              ２７  内扉
２８  収納部                            ２９  取付板
３  トップカバー
３０  書類投入口                        ３１  表示部
３２  斜面                              ３３  傾斜面
３４  カバー
３４０  カバー先端                      ３４１  回転軸
３４２  基端                            ３４３  垂直辺
３４４  折辺                            ３４５  立上辺
３４０  先端
４  回収袋
４０  吊部
５  フック部
５０  フック                            ５１  一辺
５２  カバー部                          ５３  他辺
５４  装置
５４０  ワッシャ類                      ５４１  ブラケット
５４１ａ  ツバ                          ５４１ｂ  帽子本体
５４１ｃ  孔                            ５４１ｄ  制御片
５４１ｅ  制御片                        ５４２  ボード
５４２ａ  孔                            ５４２ｂ  取付部
５４３  バネ
６  重量センサ（ロードセル）
６０  センサアンプ（増幅部）            ６１  Ａ／Ｄ（Ａ／Ｄ変換部）
６２  ドライバ                          ６３  シリアルポート
７  扉検出スイッチ
７０  レベル整合部
８  回収袋リセットスイッチ
８０  レベル整合部
９  制御装置
９０  ＣＰＵ                            ９０ａ  満杯通知手段
９０ｂ  警告判定通知手段                ９０ｃ  急勾配判定通知手段
９１  電界強度検出器
９２  バッテリ                          ９３  ＲＡＭ
９４  ＥＥＰ−ＲＯＭ                    ９５  ＦＯＲＭ
９６  通信インターフェース              ９７  ＲＳ２３２Ｃ保守用
９８  出力ポート                        ９９  ネットワークＩ／Ｆ
９１２  モード切換ＳＷ
９１３  ＥｔｈｅｒＮＥＴ                ９１４  設定用シリアル
９１６  ＡＣ１００Ｖ部                  ９１７  ヒューズ
９１８  ＡＣＳＷ                        ９１９  電圧検出
【図１】
0005757727.tif 000002
【図２】
0005757727.tif 000003
【図３】
0005757727.tif 000004
【図４】
0005757727.tif 000005
【図５】
0005757727.tif 000006
【図６】
0005757727.tif 000007
【図７】
0005757727.tif 000008
【図８】
0005757727.tif 000009
【図９】
0005757727.tif 000010
【図１０】
0005757727.tif 000011
【図１１】
0005757727.tif 000012
【図１２】
0005757727.tif 000013
【図１３】
0005757727.tif 000014
【図１４】
0005757727.tif 000015
【図１５】
0005757727.tif 000016